(57)【特許請求の範囲】
【請求項１】
音響光学変換器であって、
少なくとも一つのドナー分子から少なくとも一つのアクセプター分子へのフェルスター共鳴エネルギー移動（ＦＲＥＴ）のための少なくとも１つのドナー分子（２０２）および少なくとも１つのアクセプター分子（２０４）と、
入射光（２０７）が前記少なくとも１つのドナー分子に当たる（２０８）ことを可能にするように設けられた入射窓（２０６）と、
前記少なくとも１つのアクセプター分子によって放射された光（２１０）が前記音響光学変換器を出ることを可能にするように設けられた出射窓（２０９）と、を含み、
前記少なくとも１つのドナー分子（２０２）を有するグラフェン共振器（２０１）と、
前記少なくとも１つのアクセプター分子（２０４）を有する基板と、を含み、
前記グラフェン共振器（２０１）は、音（２０５）に反応し、前記少なくとも一つのドナー分子から前記少なくとも一つのアクセプター分子へのフェルスター共鳴エネルギー移動（ＦＲＥＴ）が起こるために、前記少なくとも一つのドナー分子を前記少なくとも一つのアクセプター分子の範囲内に持ってくるために音によって前記基板（２０３）に向かって移動させることを特徴とする、
音響光学変換器。
【請求項２】
前記少なくとも１つのドナー分子（２０２）および前記少なくとも１つのアクセプター分子（２０４）のうちの少なくとも１つが量子ドットを含む、請求項１に記載の音響光学変換器。
【請求項３】
前記少なくとも１つのドナー分子および前記少なくとも１つのアクセプター分子（２０４）のうちの少なくとも１つが、第１２族元素と第１６族元素との無機化合物を含む、請求項１または２に記載の音響光学変換器。
【請求項４】
前記無機化合物が、硫化カドミウム、セレン化カドミウム、硫化亜鉛およびセレン化亜鉛からなる群から選択される、請求項４に記載の音響光学変換器。
【請求項５】
前記少なくとも１つのドナー分子（２０２）および前記少なくとも１つのアクセプター分子（２０４）の少なくとも１つが有機化合物を含む、請求項１乃至４のいずれか一項に記載の音響光学変換器。
【請求項６】
前記有機化合物が、蛍光タンパク質およびリレン染料からなる群から選択される、請求項５に記載の音響光学変換器。
【請求項７】
前記グラフェン共振器（２０１）がグラフェン膜を含む、請求項１乃至６のいずれか一項に記載の音響光学変換器。
【請求項８】
前記入射窓（２０６）および前記出射窓（２０８）のうちの少なくとも１つが、フィルタおよびレンズのうちの少なくとも１つを含む、請求項１乃至７のいずれか一項に記載の音響光学変換器。
【請求項９】
音響光学変換器（２００）のアレイ（５００）であって、前記音響光学変換器のそれぞれが、前記アレイの他の音響光学変換器から異なる波長の光を放射するように調整されている、請求項１乃至８のいずれか一項に記載の音響光学変換器（２００）のアレイ（５００）。
【請求項１０】
二次元格子状に配置されている、請求項１乃至８のいずれか一項に記載の複数（６００）の音響光学変換器（２００）。
【請求項１１】
請求項１０に記載の音響光学変換器の複数のアレイを含む、請求項１０に記載の複数（６００）の音響光学変換器（２００）。
【請求項１２】
少なくとも１つのドナー分子から少なくとも１つのアクセプター分子へのフェルスター共鳴エネルギー移動（ＦＲＥＴ）、
前記少なくとも１つのドナー分子を光で照らし、
前記少なくとも１つのアクセプター分子から発光することを含む、音を光に変換する方法であって、
グラフェン共振器（２０２）上に前記少なくとも１つのドナー分子（２０２）を配置し、
基板（２０３）上に前記少なくとも１つのアクセプター分子（２０４）を配置し、
前記少なくとも１つのドナー分子から前記少なくとも１つのアクセプター分子へのフェルスター共鳴エネルギー移動（ＦＲＥＴ）が起こるために、前記少なくとも１つのドナー分子を前記少なくとも１つのアクセプター分子の範囲内に持ってくるために前記グラフェン共振器に音を加えることを特徴とする、
方法。
【請求項１３】
前記少なくとも１つのドナー分子を周囲光で照明することを含む、請求項１２に記載の方法。
【請求項１４】
前記グラフェン共振器（２０１）の前記基板（２０３）からの距離、前記グラフェン共振器（２０１）の大きさ、前記グラフェン共振器（２０１）の少なくとも１つの機械的特性のうちの少なくとも１つを調整することによって、グラフェン共振器（２０１）の感度および共振周波数のうちの少なくとも１つを変更することを含む、請求項１２または請求項１３に記載の方法。
【請求項１５】
前記少なくとも１つのドナー分子および前記少なくとも１つのアクセプター分子のうちの少なくとも１つは、それぞれ量子ドットを含み、
前記方法は、前記それぞれの量子ドットの少なくとも１つの大きさ、形状、および化学組成波長のうち少なくとも一つを変えることによって、放射光の波長を変える、
請求項１２乃至１４のいずれか一項に記載の方法。
【発明の詳細な説明】
【背景技術】
【０００１】
本発明は、請求項１に記載の音響光学変換器、請求項９に記載の音響光学変換器のアレイ、請求項１０に記載の複数の音響光学変換器、および請求項１２に記載の方法に関する。
【０００２】
音響光学変換は、音響エネルギーの光エネルギーへの変換、およびその逆の変換である。音を光に変換するための装置は、１９世紀にＡｌｅｘａｎｄｅｒ  Ｇｒａｈａｍ  Ｂｅｌｌによって考案された。彼はそれをフォトフォンと呼んだ。音響エネルギーの電気エネルギーへの変換は、もちろん、従来技術において一般的でもあり、そしてマイクロホンによって実行することができる。例えば、Ｑ．Ｚｈｏｕ、Ｊｉｎｇｌｉｎ  Ｚｈｅｎｇａ，  Ｓｅｉｔａ  Ｏｎｉｓｈｉ，  Ｍ．Ｆ．Ｃｈｅｍｔｉｅ，およびＡｌｅｘ  Ｋ．Ｚｅｔｔｌ“Ｇｒａｐｈｅｎｅ  ｅｌｅｃｔｒｏｓｔａｔｉｃ  ｍｉｃｒｏｐｈｏｎｅ  ａｎｄ  ｕｌｔｒａｓｏｎｉｃ  ｒａｄｉｏ，”  Ｐｒｏｃｅｅｄｉｎｇｓ  ｏｆ  ｔｈｅ  Ｎａｔｉｏｎａｌ  Ａｃａｄｅｍｙ  ｏｆ  Ｓｃｉｅｎｃｅｓ，ｖｏｌ．１１２、Ｎｏ．２９、ｐｐ．８９４２−８９４６，２０１５には、無線通信に使用することができるマイクロホンにおけるグラフェン膜の使用が記載されている。
【０００３】
しかしながら、そのような従来技術の装置は、一般にそれらがナノスケールの寸法に拡張可能ではないという問題を抱えている。さらに、既存のフォトフォンは、一般に、人為的に照らされ、それらに当たる音波に応じて分散される可能性がある反射面を備える。それらは表面によって反射された光の強度の変調に依存しており、それはそれらの実用性を制限する。多色光の変調は考慮されておらず、ハイブリッド通信アーキテクチャはこれらの従来技術のシステムでは目標とされていない。
【０００４】
フェルスター共鳴エネルギー移動は、それによってエネルギーが第一の感光性ドナー分子から第二の感光性アクセプター分子に移動するメカニズムである。そのような感光性分子は発色団として知られることがある。フェルスター共鳴エネルギー移動（ＦＲＥＴ）では、ドナー分子はまず入射光によって励起されて励起状態になる。アクセプター分子に十分接近すると、励起されたドナー分子のエネルギーはアクセプター分子に伝達され、アクセプター分子はその結果として発光する。このエネルギー移動が起こるためにドナー分子がアクセプター分子に十分に近くなるようにもたらされなければならない典型的な範囲は、約１から１０ナノメートルのオーダーである。エネルギー移動の効率はドナー分子とアクセプター分子との間の分離の６乗に比例するので、ＦＲＥＴはドナーおよびアクセプター発色団の分離に非常に敏感である。従って、アクセプター分子によって放出された光の強度は、ドナー分子とアクセプター分子との間の分離の高感度の尺度として使用され得る。
【発明の概要】
【０００５】
したがって、本発明の目的は、音響光学変換器、音響光学変換器のアレイ、二次元格子状に配列された複数の音響光学変換器、および音を光に変換する方法を提供することである。
【０００６】
本発明の目的は、請求項１に記載の音響光学変換器によって解決される。音響光学変換器は、グラフェン共振器と、基板と、入射窓と、出射窓とを少なくとも備える。グラフェン共振器は少なくとも１つのドナー分子を担持する。基板は少なくとも１つのアクセプター分子を担持する。グラフェン共振器は、少なくとも１つのドナー分子から少なくとも１つのアクセプター分子へのフェルスター共鳴エネルギー移動（ＦＲＥＴ）のために少なくとも１つのアクセプター分子の範囲内に少なくとも１つのドナー分子をもたらすために音に反応する。入射窓は、入射光が少なくとも１つのドナー分子に当たることを可能にするように構成され、出射窓は、少なくとも１つのアクセプター分子によって放出される光が音響光学変換器を出射することを可能にするように構成される。
【０００７】
この解決法は、音響光学変換器をナノスケールで製造すること、例えばドナー分子とアクセプター分子との間の間隔を変えることによって、異なる音量または音の振幅に対する感度を調整することを可能にするので有益である。以下にさらに詳細に説明するいくつかの異なる方法のうちの１つでドナー分子および／またはアクセプター分子の構成を調整することによって、異なる波長の光を放射するように調整されている。さらに、ドナー分子は周囲光で照射されてもよく、それによって音響光学変換器が受動素子として動作することを可能にし、それは動作に電力を必要としない。したがって、音響光学変換器は、従来技術のフォトフォンではこれまで不可能であった方法で、特定の用途、ならびにナノテクノロジーおよび生物医学用途でのエネルギー収集に使用することができる。
【０００８】
本発明の有利な実施形態は、任意の請求項および／または以下の説明の一部に従って構成することができる。
【０００９】
好ましくは、少なくとも１つのドナー分子および少なくとも１つのアクセプター分子のうちの少なくとも１つは量子ドットを含む。量子ドットは量子特性を有するナノスケール粒子であり、それはそれらの光学的および／または電子的特性を含むことができ、これらは類似の材料からなる粒子の特性とは異なるが、量子効果の結果としてより大きいスケールで異なる。したがって、例えば、少なくとも１つのドナー分子および少なくとも１つのアクセプター分子のうちの少なくとも１つは、ナノスケール粒子上にコーティングされてもよく、または量子ドットとして具体化されてもよい。ドナー分子および／またはアクセプター分子の光学的特性は、それらのサイズおよび／または形状などのナノスケール粒子の１つまたは複数の特性を調整することによって、選択に応じて変えることができる。
【００１０】
好ましくは、少なくとも１つのドナー分子および少なくとも１つのアクセプター分子のうちの少なくとも１つは、１２族元素と１６族元素との無機化合物（言い換えれば、旧ＩＵＰＡＣグループ命名法の下でＩＩＢ族元素とＶＩＢ族元素との化合物）を含む。そのようなＩＩ−ＶＩ化合物は望ましい光学特性を有し、それは異なる用途に適するように設計することができる。
【００１１】
もしそうであれば、無機化合物は、好ましくは、硫化カドミウム、セレン化カドミウム、硫化亜鉛およびセレン化亜鉛からなる群から選択される。
【００１２】
あるいはまたはさらに、少なくとも１つのドナー分子および少なくとも１つのアクセプター分子の少なくとも１つは有機化合物を含むことが好ましい。これは、音響光学変換器を生化学的、生物医学的、遺伝的および他の生物工学的用途に使用することを可能にするという利点を有する。
【００１３】
もしそうであれば、有機化合物は、好ましくは、蛍光タンパク質およびリレン染料からなる群から選択される。
【００１４】
好ましくは、グラフェン共振器はグラフェン膜を含む。もしそうであれば、グラフェン膜は単層または多層グラフェン膜であってもよい。しかしながら、他の可能な実施形態では、グラフェン共振器は、ウィスカーなどの膜とは異なる物理的構成を有してもよい。
【００１５】
さらに好ましくは、入射窓および出射窓の少なくとも一方は、フィルタおよびレンズの少なくとも一方を含む。これは、それがドナー分子に入射する入射光の性質およびアクセプター分子によって放出されるかもしれない性質を異なる用途に適するように所望通りに調節することを可能にするので有益である。
【００１６】
本発明は、また、本明細書に記載の音響光学変換器のアレイにも関連し、ここで各音響光学変換器は、アレイの他の音響光学変換器とは異なる波長の光を放射するように調整される。これは音響光学変換器に入射する音に従って多色光の変調を可能にするので有益である。
【００１７】
本発明はさらに、二次元格子状に配置された、本明細書に記載の複数の音響光学変換器に関係する。これは、格子内の音響光学変換器の数を増やすことによって所望の通りに増加されるように所与の波長の音響光学変換器によって放射される光の強度を増加させるために使用できるので有益である。しかしながら、それはまた、格子内の音響光学変換器の位置に応じて音を光にデジタル変換することも可能にする。
【００１８】
１つの可能な好ましい実施形態では、複数の音響光学変換器は複数の変換器アレイを含んでもよく、各アレイ内の音響光学変換器のそれぞれは、同じアレイの他の音響光学変換器とは異なる波長の光を放射するように調整される。これは、多色光を変調するという利点と、放出される光の強度を高めるという利点、および音量または振幅のデジタル解像度を組み合わせるという利点がある。
【００１９】
本発明はさらに、音を光に変換する方法に関する。この方法は、少なくとも１つのドナー分子をグラフェン共振器上に配置すること、少なくとも１つのアクセプター分子を基板上に配置すること、少なくとも１つのドナー分子から少なくとも１つのアクセプター分子へのフェルスター共鳴エネルギー移動（ＦＲＥＴ）のための１つのアクセプター分子の範囲内で音を十分な体積のグラフェン共振器に印加すること、少なくとも１つのドナー分子を光で照射すること、および少なくとも１つのアクセプター分子から光を放射することを少なくとも含む。
【００２０】
好ましくは、この方法は、少なくとも１つのドナー分子を周囲光で照らすことを含む。音響光学変換は、いかなる外部電源も必要とせず、受動的な装置によって実行することができ、そしてエネルギー収集に使用することができるので、これは有利である。
【００２１】
１つの可能な好ましい実施形態では、方法は、以下のうちの少なくとも１つを調整することによって、グラフェン共振器の感度および共振周波数のうちの少なくとも１つを変更することを含む。例えば高さまたは半径のような基板からグラフェン共鳴器までの距離、グラフェン共鳴器の大きさ、および剛性などのようなグラフェン共振器の少なくとも１つの機械的性質。
【００２２】
代替的に又は付加的に、少なくとも１つのドナー分子及び少なくとも１つのアクセプター分子の少なくとも１つはそれぞれ量子ドットを含み、方法はそれぞれの量子ドットのサイズ、形状および化学組成の少なくとも１つを変えることによって放射光の波長を変えることを含むことが好ましい。
【００２３】
本発明はさらに、本明細書に記載の方法のうちの１つまたは複数を実行するためのコンピュータプログラム製品またはプログラムコードもしくはシステムに関する。
【００２４】
本発明のさらなる特徴、目的および利点を、本発明の例示的な構成要素が示されている添付の図面と関連して説明する。それらの機能に関して互いに本質的に少なくとも同等である本発明に係る装置および方法の構成要素は、同じ参照番号によって示すことができ、そのような構成要素は、すべての図面において示されるまたは説明される必要はない。
【００２５】
以下の説明において、本発明は、添付の図面に関して単なる例として説明される。
【図面の簡単な説明】
【００２６】
【図１】グラフェン膜を含む音響電気変換器の構成における連続した段階を表す一連の概略図である。
【図２】音響光学変換器の一実施形態の概略図である。
【図３】音響光学変換器内のグラフェン共振器の動作における異なる位相を概略的に表す。
【図４】音響光学変換器の動作における異なる段階を概略的に表す。
【図５】異なる音響レベルに対する音響光学変換器のアレイの異なる応答を概略的に表すグラフである。
【図６】二次元格子状に配列された音響光学変換器の複数のアレイの概略図である。
【発明を実施するための形態】
【００２７】
図１Ａ、図１Ｂ、および図１Ｃは、音響電気変換器またはマイクロホン１００の構成における連続した段階を概略的に示す。図１Ａに示すように、音響電気変換器１００は、支持フレーム１０２の開口部を横切って懸架されているグラフェン膜１０１を含む。図１Ｂの分解図に示すように、グラフェン膜１０１は金配線１０３と電気的に接触しており、支持フレーム１０２は一対のスペーサ１０４ａ、１０４ｂの間に取り付けられている。図１Ｃの分解図に示されるように、得られたサブアセンブリは、次に一対の金で被覆された固定電極１０５ａ、１０５ｂの間に挟まれ、それらの各々に金配線１０６が取り付けられて電気的接触をなす。音波がグラフェン膜１０１に当たると、それによってグラフェン膜１０１が動かされ、それに応じて２つの固定電極１０５ａ、１０５ｂに対するグラフェン膜１０１の電気的特性が変化する。そのような動作中、音響電気変換器１００は電流源としてモデル化されてもよい。
【００２８】
図２は、音響光学変換器２００の一実施形態を示す。音響光学変換器２００は、グラフェン共振器２０１、基板２０３、入射窓２０６、および出射窓２０９を含む。グラフェン共振器は、薄膜としてその表面にコーティングされている複数のドナー分子２０２を含む。基板２０３は、ドナー分子２０２の薄膜に対向する薄膜として基板２０３の表面にコーティングされた複数のアクセプター分子２０４を含む。グラフェン共振器２０１は、音波２０５に応答し、音響光学変換器２００の動作中、図２に破線２０１ａで示されている静止位置から図示のように変位位置まで移動する。グラフェン共振器２０１のこの移動は、ドナー分子２０２からアクセプター分子２０４へのフェルスター共鳴エネルギー移動（ＦＲＥＴ）が起こるのに十分に近いアクセプター分子２０４の範囲内のドナー分子２０２をもたらす。入射窓２０６は、入射周囲光２０７がドナー分子２０２に当たること(２０８)を可能にし、それによってそれらを励起状態に刺激する。入射窓２０６は、ドナー分子２０２を励起するのに必要とされるもの以外の周囲光２０７の波長を除去するためにバンドパスフィルタを含む。出射窓２０９は、ドナー分子２０２からアクセプター分子２０４へのＦＲＥＴの結果としてアクセプター分子２０４によって放出された光２１０が音響光学変換器２００を出ることを可能にするように構成される。出射窓２０８は、放射光２１０を集束させるためのコリメートレンズを含む。
【００２９】
図３Ａ、３Ｂおよび３Ｃは、その動作中の音響光学変換器２００内のグラフェン共振器２０１の移動における異なる段階を示す。グラフェン共振器２０１はドナー分子２０２の粒子を担持し、これは例えばグラフェン共振器２０１の表面上に被覆された青緑色光のエミッタになるように調整されたセレン化カドミウムまたは硫化亜鉛の量子ドットであってもよい。アクセプター分子２０４は、例えば、基材上にコーティングされたペリリンの薄膜のようなリレン染料であり得る。図３Ａにおいて、グラフェン共振器２０１は最初静止しており、グラフェン共振器２０１によって担持されたドナー分子２０２の粒子はアクセプター分子２０４から遠すぎて前者から後者へのフォルスター共鳴エネルギー移動が起こることができない。図３Ｂでは、グラフェン共振器２０１は音波によってアクセプター分子２０４に向かって変位し、ドナー分子２０２は周囲光を吸収し、それによって励起状態に刺激される。ドナー分子２０２の粒子は今やＦＲＥＴが起こるのに十分にアクセプター分子２０４の薄膜に接近しているので、ドナー分子２０２はそれらのエネルギーをアクセプター分子２０４に与え、その結果として発光する。図３Ｃでは、グラフェン共振器２０１はその逆位相位置に跳ね返る。ドナー分子２０２は周囲光を吸収し続け、したがって励起状態に刺激され続ける。しかしながら、前者から後者へのＦＲＥＴが起こるには、それらはアクセプター分子２０４から再び遠すぎるので、アクセプター分子２０４は、グラフェン共振器２０１が図３Ｂに示されるその位置にもう一度戻るまで発光しなくなる。したがって、アクセプター分子２０４によって放出された光は、グラフェン共振器２０１の共振周波数で振幅変調を受ける。
【００３０】
図４Ａ、図４Ｂおよび図４Ｃは、その動作中の音響光学変換器２００の動作における異なる段階を示しており、これらはそれぞれ、図３Ａ、図３Ｂおよび図３Ｃに示される異なる段階に対応する。図４Ａに見られるように、グラフェン共振器２０１がその静止位置にあるとき、ドナー分子２０２は、ドナー分子２０２からアクセプター分子２０４へのＦＲＥＴが起こることができる最大距離よりも大きい距離ｄＡＤだけアクセプター分子２０４から離れている。図４Ｂに見られるように、グラフェン共振器２０１が音波によって変位させられると、その変位ｄ０は、ドナー分子２０２が前者から後者までＦＲＥＴが起こるためにアクセプター分子２０４の範囲内に入るのに十分大きい。グラフェン共振器２０１の共振周波数および異なるボリュームの音波に対する感度の一方または両方を変化させるために、グラフェン共振器２０１は、高さｈおよび半直径ａを有し、これらの一方または両方は変化してもよい。例えば、その剛性のようなグラフェン共振器２０１の機械的特性のように、グラフェン共振器２０１の共振周波数または感度を変えるために、アクセプター分子２０４からのドナー分子２０２の分離距離ｄＡＤも変化してもよい。これは、例えばグラフェン共振器２０１を構成する層の数を調整することによって変更してもよい。
【００３１】
一方、ドナー分子２０２およびアクセプター分子２０４のいずれかまたは両方の化学組成を変えることによって、アクセプター分子２０４によって放射される光の波長が変えられてもよい。ドナー分子２０２およびアクセプター分子２０４のいずれかまたは両方は量子ドットとして具体化されるなら、アクセプター分子２０４によって放出される光の波長もまた、量子ドットのサイズおよび／または形状を変えることによって変えることができる。
【００３２】
図５は、音響光学変換器のアレイ５００、およびそれが異なる音レベルにどのように応答するかを示す。アレイ５００は、上述のように複数の音響光学変換器２００を含み、各音響光学変換器は、アレイ内の他の音響光学変換器とは異なる波長の光を放射するように調整されている。図５に示す例では、アレイ５００は４つの音響光学変換器２００を含み、そのうちの１つは赤色光を放射するように調整され（ラベル「Ｒ」）、そのうちの１つは黄色光を放射するように調整され（ラベル「Ｙ」）、そのうちの１つは緑色の光を放射するように調整され（「Ｇ」と表示）、もう１つは青色の光を放射するように調整される（「Ｂ」と表示）。しかしながら、この例は純粋に例示的なものであり、他の代替の実施形態では、そのような音響光学変換器のアレイは、２、３、５、６など、任意の数の音響光学変換器を含むことができる。オレンジ、シアン、紫などの他の色を発光するように調整される。
【００３３】
図５に示す例示的な実施形態では、赤色発光音響光学変換器は低音レベルに最も敏感であり、黄色発光音響光学変換器は低音レベルに次に敏感であり、緑色発光音響変換器はそれほど敏感ではなく、青色発光音響光学変換器はアレイ５００内の全ての音響光学変換器の中で最も感度が低い。すなわち、アレイ５００において衝突する音量または音の振幅が増加すると、最初に赤色発光音響光学変換器が点灯し、次に黄色発光音響光学変換器が発光し始め、次に入射音の音量が増大するにつれて緑色発光音響光学変換器も発光し始める。そして最後に、音量がさらに大きくなるにつれて、青色発光音響光学変換器が点灯する。これは、図５のグラフにおいて、増大する音響レベルで示されている同じアレイ５００の５つの異なる表現によって概略的に示されている。
【００３４】
図６は、二次元グリッド６００に配列された音響光学変換器２００の複数のそのようなアレイ５００を示す。したがって、図示の実施形態では、アレイ５００のそれぞれは、互いに同じ４つの音響光学変換器２００の組み合わせを含む。そのうちの一つは赤色光を発し、そのうちの一つは黄色光を発し、そのうちの一つは緑色光を発し、およびそのうちの一つは青色光を発する。複数のアレイ５００は、例えば電荷結合素子（ＣＣＤ）の画素がどのように配置されているかと同様に、行および列に配置されて二次元グリッド６００を形成する。音響光学変換器２００の各々はマイクロスケールまたはナノスケールデバイスとしてさえ製造することができるので、グリッド６００全体は各行または列を横切って数ミリメートルより大きいサイズである必要はない。他方、音響光学変換器２００は代わりにマクロスケールデバイスとして製造することができ、各次元において数十センチメートルまたはさらには数メートルのグリッド６００を構築することを可能にする。そのような二次元グリッドは、もちろん、同様に三次元音−光変換装置を製造するために様々な異なる構成で互いに組み合わせることもできる。
【００３５】
図６に示す実施形態では、アレイ５００はそれぞれ図５に示すものと同じタイプであるが、これは純粋に例示のためのものである。その代わりに、アレイは、異なる波長および異なる感度に調整された異なる数の音響光学変換器２００を含むことができ、そのため、それらの任意の可能な組み合わせを達成することができる。したがって、グリッド６００は、例えば、代わりに、複数の音響光学変換器２００を含むことができ、それらのすべてが互いに同じ波長の光を放射するように調整されているが、互いに感度が異なり、そのため、グリッドによって全体として放射される光の強度は、グリッド内の音響光学変換器２００に衝突する音量に比例して変化する。
【００３６】
したがって、要約すると、本発明は音響光学変換器２００を提供し、それは少なくともグラフェン共振器２０１、基板２０３、入射窓２０６および出射窓２０９を含む。グラフェン共振器２０１は少なくとも１つのドナー分子２０２を含む。グラフェン共振器２０１は音２０５に応答して、少なくとも１つのドナー分子から少なくとも１つのアクセプター分子へのフェルスター共鳴エネルギー移動（ＦＲＥＴ）が生じるために、少なくとも１つのドナー分子２０２を少なくとも１つのアクセプター分子２０４の範囲内にもたらす。
【００３７】
入射窓２０６は、好ましくは周囲光である入射光２０７が、少なくとも１つのドナー分子２０２に入射することを可能にするように配置される。出射窓２０９は、少なくとも１つのアクセプター分子２０４によって放射される光２１０が音響光学変換器から出ることを可能にするように配置される。したがって、音響光学変換器２００は、周囲光から得られたエネルギーのみを使用して音を光に変換する受動装置として機能することができ、共振器２０１の機械的性質および基板２０３からの共振器の距離のいずれかまたは両方を調節することにより音の異なる周波数および振幅に調整することができる。
【００３８】
放射光の周波数は、また、例えばそれらが量子ドットである場合、ドナーまたはアクセプター分子の粒子のサイズ、形状、および化学組成のうちの少なくとも１つを変化させることによって変化させることもできる。音響光学変換器は、ナノスケールデバイスとしても実現され得る。他の側面では、本発明は、そのような音響光学変換器のいずれかを動作させる方法、およびそのような音響光学変換器のアレイも提供し、各音響光学変換器はアレイ内の他の電気光学変換器とは異なる波長の光を放射するように調整される。
【符号の説明】
【００３９】
１００音響電気変換器
１０１グラフェン膜
１０２支持フレーム
１０３グラフェン膜への電気配線
１０４ａ、１０４ｂスペーサ
１０５ａ、１０５ｂ電極
１０６電極への電気配線
２００電気音響変換器
２０１グラフェン膜
２０１ａグラフェン膜の静止位置
２０２ドナー分子
２０３基板
２０４アクセプター分子
２０５音波
２０６入力窓
２０７入射する周辺光
２０８ドナー分子に当たる光
２０９出射窓
２１０放射光
５００電気音響変換器の多色アレイ
６００電気音響アレイのグリッド
【図１】
0006795816.tif 000002
【図２】
0006795816.tif 000003
【図３】
0006795816.tif 000004
【図４】
0006795816.tif 000005
【図５】
0006795816.tif 000006
【図６】
0006795816.tif 000007